(57)【要約】【課題】  目的アドレスへのシーク時間を短縮し得る光ディスク装置を提供する。【解決手段】  ＤＳＰ５５は、フォーカスジャンプの制御のためのディジタル信号をＤ／Ａ変換器５８に出力し、Ｄ／Ａ変換器５８はそのディジタル信号をアナログ信号に変換してドライバ５９に与える。ドライバ５９は加速信号と減速信号とによってピックアップ６０を制御する。また、ＤＳＰ５５は、ピックアップ６０をシークさせるために、ＰＷＭ信号を出力し、積分器１１に与える。積分器１１は、ＰＷＭ信号を積分してスレッド駆動信号としてドライバ１２に与え、ドライバ１２は、そのスレッド駆動信号により送り機構１３を駆動して、ピックアップ６０をシークさせる。【選択図】        図８
2004206869.tif 000002
【特許請求の範囲】
【請求項１】
複数の層の信号記録面に情報が記録された光ディスクを再生する光ディスク装置であって、
前記光ディスクにビームを照射して、その反射光を検出することによって前記情報を読出す情報読出手段と、
前記情報読出手段を信号記録面に沿って移動させるための駆動手段と、
前記情報読出手段が前記複数の層のいずれかの信号記録面に合焦しているとき、他の層の信号記録面に合焦させるための加速信号を生成する加速手段と、
目的とするアドレスと目的とする層の情報が与えられたことに応じて、前記情報読出手段が情報を読出している現在のアドレスおよび層の情報から前記情報読出手段の移動量を演算する演算手段と、
前記演算手段によって演算された移動量だけ前記情報読出手段が移動するように前記駆動手段を駆動するとともに、前記加速手段から加速信号を生成させて前記情報読出手段に与え、目的とする層の信号記録面に合焦させるための制御手段とを備える、光ディスク装置。
【発明の詳細な説明】
【技術分野】
【０００１】
この発明は光ディスク装置に関し、さらに詳しくは、複数の信号記録層を有する多層光ディスクから情報を再生または記録する光ディスク装置に関する。
【背景技術】
【０００２】
現在提供されている一般的なＣＤ（コンパクトディスク）またはＣＤ−ＲＯＭ（コンパクトディスクリードオンリメモリ）の記録容量は６４０Ｍバイトであるが、最近では高密度化に伴って４．７Ｇバイトの記録容量を有するＤＶＤ（デジタルビデオディスク）も提供されている。ＣＤまたはＣＤ−ＲＯＭの厚さは１．２ｍｍであり、直径は１２ｃｍである。ＤＶＤの厚さはＣＤまたはＣＤ−ＲＯＭの半分の０．６ｍｍであり、直径はＣＤまたはＣＤ−ＲＯＭと同じ１２ｃｍである。また、信号記録面を２層にすることにより記録容量を８．５Ｇバイトにした２層ＤＶＤも提案されている（非特許文献１）。
【０００３】
２つの記録層（信号記録面）を有する２層光ディスクを再生するには、ディスクの片面から２つの信号記録面を再生する方法と、ディスクの両面からそれぞれ１つの信号記録面を再生する方法とが考えられる。しかしながら、両面からそれぞれ１つの信号記録面を再生する方法は、１つの信号記録面の再生が終了してからもう１つの信号記録面を再生しようとする場合にディスクを裏返す必要があるため、煩雑である。また、１つの信号記録面の再生を行なっている途中で直ちにもう１つの信号記録面の再生を行なうことができない。このため、片面から２つの信号記録面を再生する方法が主流になっている。
【０００４】
図１４に示されるように、片面読取方式の２層光ディスクは、アルミニウムなどを材料とした７０％以上の反射率を有する反射型記録層１０１と、金などを材料とした３０％程度の反射率を有する半透明型記録層１０２とを有し、これら２つの記録層１，２の間には４０μｍ程度の厚さの紫外線硬化樹脂が中間層１０３として挟み込まれている。ここで、反射型記録層１０１と半透明型記録層１０２とには、それぞれ、図１５に示されるような情報が記録されている。すなわち、情報として具体的にはデータおよびＩＤがあり、ＩＤにはアドレス（トラック番号）と層情報（レイヤーナンバー）とトラック情報（トラックフォーマット情報、エリア情報、トラック方式、反射率）が含まれる。
【０００５】
このように２層光ディスクでは一方の記録層が半透明型にされるため、片面方向からレーザビームを照射してそれぞれの記録層に合焦させることにより、その記録層に記録された情報を光ピックアップ装置を通して読取ることができる。
【０００６】
また、２層光ディスクでは一方の記録層の再生途中で他方の記録層にレーザビームを合焦させ直し、その他方の記録層の再生を開始するために、対物レンズを光軸方向に移動させるといういわゆるフォーカスジャンプが行なわれる（特許文献１）。
【特許文献１】特開平８−１７１７３１号公報
【非特許文献１】貴志俊法他，「片側読取り方式２層光ディスク」，ナショナルテクニカルリポートＶｏｌ．４１，Ｎｏ．６，１０〜１６頁，１９９５年１２月
【発明の開示】
【発明が解決しようとする課題】
【０００７】
しかしながら、従来のフォーカスジャンプ方式では、フォーカスジャンプした後、目的のアドレスをシークするため、アクセス時間が長くなるという問題がある。
【０００８】
そこで、この発明の目的は、目的アドレスへのシーク時間を短縮し得る光ディスク装置を提供することである。
【課題を解決するための手段】
【０００９】
この発明の局面に従うと、複数の層の信号記録面に情報が記録された光ディスクを再生する光ディスク装置は、光ディスクにビームを照射し、その反射光を検出することによって情報を読出す情報読出手段と、情報読出手段を信号記録面に沿って移動させるための駆動手段と、情報読出手段が複数の層のいずれかの信号記録面に合焦しているときに、他の層の信号記録面に合焦させるための加速信号を生成する加速手段と、目的とするアドレスと目的とする層の情報が与えられたことに応じて情報読出手段が情報を読出している現在のアドレスおよび層の情報から情報読出手段の移動量を演算する演算手段と、演算された移動量だけ情報読出手段が移動するように駆動手段を駆動するとともに、加速手段から加速信号を生成させて情報読出手段に与えて目的とする層の信号記録面に合焦させるための制御手段とを備えて構成される。
【発明の効果】
【００１０】
この発明による光ディスク装置においては、目的とするアドレスと層の情報が与えられたことに応じて、現在のアドレスおよび層の情報から移動量を演算し、演算した移動量だけ情報読出手段を移動するように駆動手段を駆動するとともに、加速信号を生成して目的とする層の信号記録面に合焦させるようにしたので、アクセス時間を短縮することができる。
【発明を実施するための最良の形態】
【００１１】
以下、この発明の実施の形態を図面を参照して詳しく説明する。なお、図中同一または相当部分には同一符号を付してその説明は繰り返さない。
【００１２】
光ディスクの片面からレーザビームを照射することにより２つの信号記録面から情報を再生するためには、１つの信号記録面の再生中または再生後に他の信号記録面に光ピックアップ中の対物レンズのフォーカスをかけなおす必要がある。従来の方法では、１つの信号記録面から他の信号記録面へフォーカスをかけなおす場合、その他の信号記録面からのフォーカスエラー信号が観測され始めると対物レンズを減速していた。しかし、図１に示されるように１つの信号記録面から他の信号記録面への遷移期間Ｔｔｒａｎにはフォーカスエラー信号ＦＥのピーク値の差に対して大きい場合には約１０％のノイズが含まれている。そのため、検出された信号が再生されるべき信号記録面からのフォーカスエラー信号ＦＥであるか否かを正確に判別することは困難で、正確なフォーカスジャンプを行なうことができなかった。
【００１３】
そこで、この発明の実施の形態は、主に基板厚の異なる光ディスクの互換再生が可能な光ピックアップを用いて２つの信号記録面を有する２層光ディスクから情報を再生する際に、レーザビームの合焦位置を１つの信号記録面から他の信号記録面に正確に切換えることが可能な光ディスク装置を提供することを目的とする。
【００１４】
図２を参照して、２層ＤＶＤ１は、基板表面から０．６（許容誤差±０．０５）ｍｍの位置に２つの信号記録面５，９を有する。この２層ＤＶＤ１は、透明なポリカーボネイトなどからなる厚さ０．６（許容誤差±０．０５）ｍｍの基板２および１０を紫外線硬化樹脂６によって貼合わせたものである。信号記録面５は、基板２の内側に形成されたピット３と、ピット３を覆うように形成された金属反射膜４とからなる。信号記録面９は、基板１０の内側に形成されたピット７と、ピット７を覆うように形成された金属反射膜８とからなる。紫外線硬化樹脂６の厚さは４０〜７０μｍであるため、信号記録面５は信号記録面９から４０〜７０μｍの距離だけ離れている。
【００１５】
また、図３を参照して、ＣＤ２０は、基板表面から１．２（許容誤差±０．１）ｍｍの位置に１つの信号記録面２４を有する。信号記録面２４は、透明なポリカーボネイトなどからなる基板２１の一方側に形成されたピット２２と、ピット２２を覆うように形成された金属反射膜２３とからなる。信号記録面２４上には保護膜２５が形成されている。
【００１６】
次の表１はＣＤおよび２層ＤＶＤの定格値および再生条件を示す。
【００１７】
【表１】
2004206869.tif 000003
【００１８】
ＣＤの信号読取面側の基板厚は１．２（許容範囲：１．１〜１．３）ｍｍであり、最短ピット長は０．９０（許容範囲：０．８０〜１．０）μｍであり、トラックピッチは１．６（許容範囲：１．５〜１．７）μｍであり、反射率は７０％以上である。一方、２層ＤＶＤの信号読取面側の基板厚は０．６（許容範囲：０．５５〜０．６５）ｍｍであり、最短ピット長は０．４０（許容範囲：０．３０〜０．５０）μｍであり、トラックピッチは０．７４（許容範囲：０．７３〜０．７５）μｍであり、反射率は２０〜４０％である。
【００１９】
また、再生条件において、レーザビームの波長は６３５（許容範囲：６２０〜６５０）ｎｍであり、ＣＤにおけるレーザビームのスポット径は１．５（許容範囲：１．４〜１．６）μｍであり、対物レンズの実効開口数は０．３５（許容範囲：０．３０〜０．４０）であり、２層ＤＶＤにおけるレーザビームのスポット径は０．９（許容範囲：０．８５〜０．９５）μｍであり、対物レンズの実効開口数は０．６０（許容範囲：０．５５〜０．６５）である。
【００２０】
図４および図５は、ＣＤおよび２層ＤＶＤの互換再生が可能な光ピックアップの構成を示す。図４および図５を参照して、光ピックアップ６０は、波長６３５ｎｍのレーザビームを発生する半導体レーザ３１と、レーザビームの偏光面を回転する偏光面回転素子３２と、回折格子３５と、ハーフミラー３６と、コリメータレンズ３７と、レーザビームを選択的に遮光する偏光選択素子３８と、対物レンズ４２と、光検出器４３とを備える。半導体レーザ３１からのレーザビームは偏光面回転素子３２および回折格子３５を介してハーフミラー３６に達し、ハーフミラー３６で半分反射され、コリメータレンズ３７で平行光にされ、立上げミラー１４４で立上げられ、偏光選択素子３８を透過し、対物レンズ４２で集光され、光ディスクの基板を通って信号記録面５に照射される。信号記録面５で反射されたレーザビームは、対物レンズ４２、偏光選択素子３８、およびコリメータレンズ３７を介してハーフミラー３６に戻り、ハーフミラー３６で半分透過し、光検出器４３に集光され、検出される。
【００２１】
光検出器４３は４つの受光面ａ〜ｄに分割され、ａ＋ｂ＋ｃ＋ｄが再生信号として出力され、（ａ＋ｃ）−（ｂ＋ｄ）がフォーカスエラー信号として出力される。
【００２２】
対物レンズ４２は、基板厚０．６ｍｍの光ディスクの信号記録面に集光できるように設計され、開口数は０．６（許容範囲：０．５５〜０．６５）である。偏光面回転素子３２は、ＴＮ型液晶３４を２枚の透明電極付ガラス３３および３３で挟み込んだ構造をしており、透明電極に電圧を印加するとＴＮ型液晶３４に電圧が印加され、レーザビームはその偏光面を回転させられずにＴＮ型液晶３４を透過する。透明電極に電圧を印加しない場合は、レーザビームはその偏光面を９０°回転させられてＴＮ型液晶３４を透過する。
【００２３】
また、偏光選択素子３８は、レーザビームの外周部に相当する部分に設けられた偏光フィルタ４０を２枚のガラス３９および３９で挟み込んだ構造をしており、レーザビームの中央部には偏光特性を示さないフィルタ４１が設けられている。偏光フィルタ４０は所定の偏光方向のレーザビームのみを透過させる特性を有しており、図４においては、紙面に平行な方向に偏光するレーザビームのみを透過させる。したがって、偏光選択素子３８は図６に示されるような特性を有する。すなわち、偏光選択素子３８の外周部３８ａは偏光フィルタ４０によって図上水平な方向に偏光するレーザビームのみを透過させ、内周部３８ｂはレーザビームの偏光方向に関係なくレーザビームを透過させる。偏光フィルタ４０は、水平な方向に偏光するレーザビームを透過させるが、その透過率は７０〜９０％程度である。そのため、内周部３８ｂに何らフィルタを設けなければ、レーザビームの内周部と外周部とで透過率が異なり、再生特性を低下させる要因になる。したがって、フィルタ４１を偏光選択素子３８の内周部に設ける必要がある。
【００２４】
信号読取面側の基板厚が０．６ｍｍの２層ＤＶＤの再生動作について説明する。２層ＤＶＤが再生される場合には、偏光面回転素子３２に液晶駆動回路４４から電圧が印加される。その結果、半導体レーザ３１からの紙面に平行な方向に偏光する波長６３５ｎｍのレーザビームは、偏光面回転素子３２によって偏光面を回転させられずにそのまま透過し、回折格子３５を介してハーフミラー３６に入射する。その入射されたレーザビームはハーフミラー３６で半分反射され、コリメータレンズ３７で平行光にされ、偏光選択素子３８によって外周部を遮光されることなく全面的に透過し、対物レンズ４２で集光され、２層ＤＶＤ１の基板２を通って信号記録面５に照射される。信号記録面５に照射されるレーザビームのスポット径は０．９（許容範囲：０．８０〜１．０）μｍである。その後の動作は図３の説明と同様であるので、その説明は繰返さない。
【００２５】
次に、信号読取側の基板厚が１．２ｍｍのＣＤの再生動作について説明する。ＣＤが再生される場合には、偏光面回転素子３２に電圧は印加されない。その結果、半導体レーザ３１からの紙面に平行な方向に偏光する波長６３５ｎｍのレーザビームは、偏光面回転素子３２によってその偏光面を９０°回転させられて透過し、回折格子を介してハーフミラー３６に入射する。その入射されたレーザビームはハーフミラー３６で半分反射され、コリメータレンズ３７で平行光にされ、偏光選択素子３８によって外周部のみが遮光され、対物レンズ４２で集光され、ＣＤ２０の基板２１を通って信号記録面２４に照射される。偏光選択素子３８の内周部３８ｂの直径は、開口数０．６（許容範囲：０．５５〜０．６５）、有効光束直径４ｍｍの対物レンズの場合、実効開口数が０．３５（許容範囲：０．３０〜０．４０）になるように２．３（許容誤差±０．２）ｍｍにする。また、有効光束直径が４ｍｍ以外の場合、これに比例して実効開口数が０．３５になるように内周部３８ｂの直径を決定する。また、信号記録面２４に照射されるレーザビームのスポット径は１．５（許容範囲：１．４〜１．６）μｍである。その後の動作は図３の説明と同様であるので、その説明は繰返さない。
【００２６】
図７を参照して、基板厚の異なる光ディスクの互換再生が可能な光ディスク装置について説明する。光ピックアップ６０中の対物レンズ４２はアクチュエータ４７によって再生しようとしている信号がピット列として形成されているトラックにレーザビームを集光するように制御されており、レーザビームは対物レンズ４２によって集光され、光ディスクの基板２を通って信号記録面５に照射される。信号記録面５で反射されたレーザビームは光検出器４３で検知され、再生信号として検出される。光検出器４３で検出された再生信号はヘッドアンプ４５へ送られ、所定の増幅が行なわれた後、判別回路４８、ＲＦ復調回路５３およびサーボ回路４６に送られる。サーボ回路４６は送られてきたトラッキングエラー信号に基づきアクチュエータ４７を制御する。また、判別回路４８は、送られてきた信号に基づいて再生装置に装着された光ディスクの種類を識別し、識別結果を指令回路４９に送る。指令回路４９は、識別した光ディスクに適合するように対物レンズ４２の開口数を切換えるために送られてきた識別結果に基づいてＮＡ切換回路５０に指令を出す。また、指令回路４９は、識別した光ディスクの再生に適合する復調回路に切換えるために、送られてきた識別結果に基づいて特性切換回路５１にも指令を出す。ＮＡ切換回路５０は液晶駆動回路４４を介して対物レンズ４２の実効開口数を切換え、特性切換回路５１はＲＦ復調回路５３を切換える。
【００２７】
図８は、図７に示されたサーボ回路４６中のフォーカスジャンプ回路４６ａを中心とするこの実施の形態による光ディスク装置の全体構成を示すブロック図である。図８を参照して、片面読取の２層ＤＶＤ１はスピンドルモータ１６によって回転駆動され、ピックアップ６０によってディスク１に記録されている情報が読取られる。ピックアップ６０からはフォーカスエラー信号ＦＥなどの信号が出力されてヘッドアンプ４５で増幅され、Ａ／Ｄ変換器５４に与えられてアナログ信号がディジタル信号に変換される。このディジタル信号はＤＳＰ（デジタルシグナルプロセッサ）５５に与えられる。
【００２８】
ＤＳＰ５５にはＲＯＭ５６とＲＡＭ５７とが接続されている。ＲＯＭ５６はＤＳＰ５５を制御するためのプログラムを記憶し、ＲＡＭ５７はディスク１から得られた情報を記憶する。ＤＳＰ５５はＲＯＭ５６に記憶されているプログラムを実行し、ＲＡＭ５７に記憶された情報に基づいて、加速信号または減速信号によりピックアップ６０をフォーカスサーボするための制御を行なうとともに、ピックアップ６０をシークさせるための制御を行なう。ＤＳＰ５５はフォーカスジャンプの制御のためのディジタル信号をＤ／Ａ変換器５８に出力し、Ｄ／Ａ変換器５８はそのディジタル信号をアナログ信号に変換してドライバ５９に与える。ドライバ５９は加速信号と減速信号とによってピックアップ６０を制御する。
【００２９】
さらに、ＤＳＰ５５はピックアップ６０をシークさせるために、ＰＷＭ（Pulse Wide Modulation ）信号を出力し、積分器１１に与える。積分器１１はＰＷＭ信号を積分してスレッド駆動信号としてドライバ１２に与え、ドライバ１２はそのスレッド駆動信号により送り機構１３を駆動して、ピックアップ６０をシークさせる。
【００３０】
アクチュエータ４７は、図９に示されるように、対物レンズ４２を保持するレンズホルダ７０１と、レンズホルダ７０１の周囲に巻回されたフォーカスコイル７０２と、フォーカスコイル７０２のＹ方向の両端面に取付けられたトラッキングコイル７０３ａおよび７０３ｂと、レンズホルダ７０１のＸ方向の両端面に取付けられた４つの板ばね７０４と、板ばね７０４を支持する固定台７０５と、レンズホルダ７０１の２つの凹部７０６にそれぞれ挿入されるヨーク７０７と、フォーカスコイル７０２およびトラッキングコイル７０３ａ，７０３ｂに対して垂直な磁界を与える永久磁石７０８と、永久磁石７０８を支持するヨーク７０９と、ヨーク７０７，７０９を支持するヨークベース７１０とを含む。
【００３１】
図８に示されたドライバ５９はフォーカスエラー信号に応答してフォーカス駆動電圧を生成し、その生成されたフォーカス駆動電圧はフォーカスコイル７０２に印加される。これにより、レーザビームが２層光ディスク１の第１の記録層５または第２の記録層９上に合焦するようレンズホルダ７０１がＺ（光軸）方向に移動する。ドライバ５９はさらにトラッキングエラー信号ＴＥに応答してトラッキング駆動電圧を生成し、その生成されたトラッキング駆動電圧はトラッキングコイル７０３ａ，７０３ｂに印加される。これにより、レーザビームが常に光ディスク１のトラックに照射されるようレンズホルダ７０１がＸ（トラッキング）方向に移動する。
【００３２】
ドライバ５９は、図１０に示されるように、抵抗器６１と、キャパシタ６３と、スイッチ６５と、アンプ６２とを含む。フォーカシングサーボ制御を行なう場合、スイッチ６５は端子６６側にあり、フォーカスエラー信号ＦＥが直接アンプ６２の非反転入力端子に与えられる。したがって、アンプ６２はフォーカスエラー信号ＦＥに応答してフォーカス駆動電圧をフォーカスコイル７０２に供給し、アクチュエータ４７によって対物レンズ４２をＺ方向に移動する。一方、フォーカスジャンプを行なう場合は、スイッチ６５は端子６７側にあり、抵抗６１およびキャパシタ６３の接続ノードの電圧がアンプ６２の非反転入力端子に与えられる。これと同時に、フォーカスジャンプを行なうよう指示するフォーカスジャンプ指示信号ＪＰがアンプ６２の反転入力端子に与えられる。
【００３３】
従来の光ディスク装置では、目的とする目的地のアドレスと目的とする層情報を与えた場合、まず現在の層から目的とする層にフォーカスジャンプした後、ピックアップ送り機構によって目的のアドレスをシークするように制御を行なっている。
【００３４】
ところが、ＤＶＤは高密度記録が可能であるため、将来的にコンピュータのメモリとして使用される可能性が高く、目的のアドレスへのアクセスをできるだけ早くする必要がある。しかし、従来の方法では、フォーカスジャンプした後、目的のアドレスをシークするように制御しているため、アクセスのための時間が長くなってしまうという問題点がある。
【００３５】
それゆえに、この発明の実施の形態は、特に、フォーカスジャンプと目的アドレスへのシークを同時に行なってアクセス時間を短縮し得る光ディスク装置を提供することを目的とする。
【００３６】
図１１は、図８に示す光ディスク装置の動作を説明するためのフローチャートであり、図１２および図１３は、この発明の実施の形態でフォーカスジャンプと目的アドレスをシークする動作を説明するための図である。なお、図８に示されたＲＯＭ５６には、図１１に示されるようなフォーカスジャンプルーチンプログラムが格納されている。
【００３７】
次に、図８、図１１、図１２および図１３を参照して、この発明の実施の形態の具体的な動作について説明する。ＤＳＰ５５は外部からディスク１の目的地アドレスと目的とする層情報が与えられると、ピックアップ６０がアドレスしている位置と層情報を得て、現在地から目的地までの移動量を計算する。たとえば、図１２に示すように、ピックアップ６０が半透明型記録層１０２のａ２点をフォーカスしていて、外部からの指令により反射型記録層１０１のａ１点にフォーカスするための指令が与えられると、ａ２点からａ１点までの移動量を計算し、ＤＳＰ５５は図９に示したトラッキングコイル７０３ａ，７０３ｂへの通電をオフにした後、ＰＷＭ信号を積分器１１に出力し、積分器１１はそのＰＷＭ信号を積分し、図１３の（ｂ）に示すようなスレッド駆動信号を出力する。ドライバ１２はこのスレッド駆動信号によって送り機構１３を駆動する。それによって、ピックアップ６０は送り機構１３によって移動を開始する。
【００３８】
ＤＳＰはＰＷＭ信号の出力と同時にＤ／Ａ変換器５８にフォーカスエラー信号ＦＥを出力する。このフォーカスエラー信号ＦＥはＤ／Ａ変換器５８によってアナログ信号に変換され、ドライバ５９に与えられる。ドライバ５９はそのアナログ信号のフォーカスエラー信号ＦＥによってピックアップ６０をフォーカスジャンプスタートさせる。それによって、ピックアップ６０は第１層目である半透明型記録層１０２から第２層目である反射型記録層１０１へ移動し、フォーカスジャンプを終了する。
【００３９】
このとき、ＤＳＰ５５はピックアップ６０が反射型記録層１０１のａ１点へ到達したか否かを判別し、到達していなければスレッド駆動信号を出力し続ける。そして、ピックアップ６０が目的とするアドレス近傍に到達すれば、送り機構１３による移動を終了して、反射型記録層１０１の指定されたトラックにジャンプし、トラッキングをオンにして目的とするアドレスに到達する。
【００４０】
上述のごとく、この実施の形態によれば、スレッド駆動信号によってピックアップ６０を目的とするアドレスにシークしながら、フォーカスエラー信号ＦＥに基づいて、ピックアップを第１層から第２層へフォーカスジャンプさせるようにしたので、アクセス時間を短縮でき、コンピュータのメモリとしての利用価値を高めることができる。
【００４１】
以上のように、この実施の形態によれば、目的とするアドレスと層の情報が与えられたことに応じて、現在のアドレスおよび層の情報から移動量を演算し、演算した移動量だけ情報読出手段を移動するように駆動手段を駆動するとともに、加速信号を生成して目的とする層の信号記録面に合焦させるようにしたので、アクセス時間を短縮することができる。
【００４２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００４３】
この発明は、目的アドレスへのシーク時間を短縮し得る光ディスク装置に適用される。
【図面の簡単な説明】
【００４４】
【図１】対物レンズの合焦点を２つの信号記録面にわたって移動させた場合に得られるフォーカスエラー信号の波形図である。
【図２】２層ＤＶＤの構造を示す断面図である。
【図３】ＣＤの構造を示す断面図である。
【図４】基板厚の異なる光ディスクの互換再生が可能な光ピックアップの構成を示す図である。
【図５】図４に示された光ピックアップの構造を示す斜視図である。
【図６】図５に示された偏光選択素子の偏光特性を示す平面図である。
【図７】図４および図５に示された光ピックアップを含む光ディスク装置の全体構成を示すブロック図である。
【図８】この実施の形態による光ディスク装置の全体構成を示すブロック図である。
【図９】図７に示されたアクチュエータの構造を示す分解斜視図である。
【図１０】図７に示されたフォーカスジャンプ回路を示す回路図である。
【図１１】図８に示す光ディスク装置の動作を説明するためのフローチャートである。
【図１２】図８に示す光ディスク装置におけるフォーカスジャンプおよび目的アドレスのシーク動作を説明するための図である。
【図１３】図１２に示す動作時におけるフォーカスエラー信号およびスレッド駆動信号を示すタイミング図である。
【図１４】片面読取２層ディスクの概略構造を示す断面図である。
【図１５】図１４に示す片面読み取り２層ディスクに記録される情報を示す図である。
【符号の説明】
【００４５】
１  ２層ＤＶＤ、２，１０，２１  基板、３，７，２２  ピット、４，８，２３  金属反射膜、５，９，２４  信号記録面、６  紫外線硬化樹脂、１１  積分器、１２，５９  ドライバ、１３  送り機構、１６  スピンドルモータ、２０  ＣＤ、２５  保護膜、３１  半導体レーザ、３２  偏光面回転素子、３３  透明電極付ガラス、３４  ＴＮ型液晶、３５  回折格子、３６  ハーフミラー、３７  コリメータレンズ、３８  偏光選択素子、３８ａ  外周部、３８ｂ  内周部、３９  ガラス、４０  偏光フィルタ、４１  フィルタ、４２  対物レンズ、４３  光検出器、４４  液晶駆動回路、４５  ヘッドアンプ、４６  サーボ回路、４６ａ  フォーカスジャンプ回路、４７  アクチュエータ、４８  判別回路、４９  指令回路、５０  ＮＡ切替回路、５１  特性切替回路、５３  ＲＦ復調回路、５４  Ａ／Ｄ変換器、５５  ＤＳＰ、５６  ＲＯＭ、５７  ＲＡＭ、５８  Ｄ／Ａ変換器、６０  光ピックアップ、６１  抵抗器、６２  アンプ、６３  キャパシタ、６５  スイッチ、６６，６７  端子、１０１  反射型記録層、１０２  半透明型記録層、１０３  中間層、１４４  立上げミラー、７０１  レンズホルダ、７０２  フォーカスコイル、７０３ａ，７０３ｂ  トラッキングコイル、７０４  板ばね、７０５  固定台、７０６  凹部、７０７，７０９  ヨーク、７０８  永久磁石、７１０  ヨークベース。
【図１】
2004206869.tif 000004
【図２】
2004206869.tif 000005
【図３】
2004206869.tif 000006
【図４】
2004206869.tif 000007
【図５】
2004206869.tif 000008
【図６】
2004206869.tif 000009
【図７】
2004206869.tif 000010
【図８】
2004206869.tif 000011
【図９】
2004206869.tif 000012
【図１０】
2004206869.tif 000013
【図１１】
2004206869.tif 000014
【図１２】
2004206869.tif 000015
【図１３】
2004206869.tif 000016
【図１４】
2004206869.tif 000017
【図１５】
2004206869.tif 000018